(57)【要約】      （修正有）【課題】微細電流マッサージ胸当てを提供する。【解決手段】心挟み敷物１、コントローラ２、内縁シート３及び外縁シート４から構成され、心挟み敷物にはコントローラの埋め込み結合に用いられる嵌め溝１１が設けられ、並びに導電特性を備える内縁シートと不導電特性の外縁シートによって覆い被さり、コントローラは中に隠される。コントローラには正、負極性二本の導電接続線材２２が連結され、それらはそれぞれ別の胸当てまたは同一胸当て本体の導電内縁シートに接続され、それによって二つの胸当てまたは同一胸当て本体の導電内縁シートはそれぞれ正、負極性の導電エリアに形成することができ、胸当てとブラジャーの適切な組み合わせ使用を用いて、通電時は女性の胸に対して中または低周波の刺激マッサージ効果を提供することができる。【選択図】図１
0003152582.tif 000002
【実用新案登録請求の範囲】
【請求項１】
心挟み敷物、コントローラ、内縁シート及び外縁シートを含む、微細電流マッサージ胸当てであって、
心挟み敷物は柔軟特性を備える柔らかい敷物で、それにはコントローラの埋め込み結合に用いられる嵌め溝が設けられ、
コントローラ内には中枢ＩＣが設けられ、ＩＣよりパルスウエーブを伝送し、プログラム制御を用いて強、弱の違うパルス幅を発生し、並びに正、負極性二本の導電接続線材に連結され、
内縁シートは導電特性を備える材料を採用し、心挟み敷物の内縁面を組み合わせ覆い被さり、
外縁シートは導電特性を備えない材料を採用し、心挟み敷物の外縁面を組み合わせ覆い被さり、
上述によって構成される胸当ては二本の導電接続線材を通じてそれぞれ選定された導電内縁シートに接続され、通電時は導電内縁シートによって女性の胸に接触貼り付け、並びに中または低周波の刺激を釈放し、それによって豊胸、リハビリ、気血循環等多重のマッサージ健康の効果が得られることを特徴とする、微細電流マッサージ胸当て。
【請求項２】
前記コントローラの一本の線材は胸当て本体の導電内縁シートに接続され、別の線材は別のコントローラを備えない胸当ての導電内縁シートに接続され、それによって二つの内縁シートはそれぞれ正、負極性の導電エリアに形成されることを特徴とする、請求項１記載の微細電流マッサージ胸当て。
【請求項３】
前記コントローラの二本の導電接続線材は外へ移されて中継スイッチに接続されることを特徴とする、請求項１記載の微細電流マッサージ胸当て。
【請求項４】
前記外縁シートには予め開口が設けられてあることを特徴とする、請求項１記載の微細電流マッサージ胸当て。
【請求項５】
前記導電内縁シートは絶縁部をもって二つの導電エリアに区分けされ、更に正、負極性二本の導電接続線材をそれぞれ二つの導電エリアに接続し、それによって同一本体のマッサージ胸当ては導電内縁シートに於いてそれぞれ正、負極性の導電エリアに形成されることを特徴とする、請求項１記載の微細電流マッサージ胸当て。
【考案の詳細な説明】
【技術分野】
【０００１】
本考案は胸当ての設計を提供するもので、特にコントローラ（ｃｏｎｔｒｏｌｌｅｒ）を隠し埋め込んだ微細電流マッサージ（ｍａｓｓａｇｅ）胸当てで、通電時は女性の胸に対して中または低周波の刺激を釈放することができ、マッサージ豊胸の効果が得られるものを指す。
【背景技術】
【０００２】
従来の中または低周波健康補助器（またはマッサージ器、治療器と称す）は概してコントローラ、シリコンゴム（ｓｉｌｉｃｏｎ ｇｕｍ）電極片またはシリコンゴム軟膏（通称導電ゲル（ｇｅｌ））またはシリコンゴム電極カップ(ｃａｐ)等部材を選択使用して構成し、中または低周波で女性の胸を刺激するが、それの製造コストは高く、使用タイミング（ｔｉｍｉｎｇ）または場所は特定の制限を受け、かつ導電効果はよくなく、特に体の使用個所にシリコンゴム軟膏を塗布しなければならず、その粘っこい粘液は使用者を極めて不快にし、かつ洗浄しにくくする。この他、シリコンゴム電極片またはシリコンゴムカップはともに重いものであり、身に着けると不快を感じ、かつ使用者または第三者に視覚上に於いて、異物着用の不自然な感覚を引き起こす。
【考案の概要】
【考案が解決しようとする課題】
【０００３】
本考案の主要目的は微細電流マッサージ胸当ての設計を提供するもので、それは中または低周波コントローラを予め胸当ての心挟み敷物内に嵌め込み、更に導電内縁シート（ｓｈｅｅｔ）と不導電外縁シートで覆って構成し、コントローラは隠して埋め込み結合され、コントローラが始動されると直ちに女性の胸に対して中または低周波の刺激を釈放することができ、マッサージ豊胸等多重の効果が得られるが、胸当ての構成がより完全独立になるので、使用時は任意のブラジャー（ｂｒａｓｓｉｅｒ）に任意に組み合わせ適用することができ、それの全体的応用はよりよい機動性を備え、かつ適用範囲はブラジャーの形態の違いによって制限されない。
【０００４】
本考案の次の目的は胸当ての心挟み敷物内に隠し設けられたコントローラには正、負極性二本の導電接続線材が連結して設けられ、その中の一本の線材は本体胸当ての導電内縁シートに接続され、別の線材は他の胸当ての導電内縁シートに接続され、二つの胸当ての内縁シートはそれぞれ正、負極性の導電エリア(area)に形成される微細電流マッサージ胸当ての設計を提供することにある。
【０００５】
本考案のもう一つの目的は胸当ての心挟み敷物内に隠し設けられたコントローラには正、負極性二本の導電接続線材が連結して設けられ、それは同じ胸当て本体の導電内縁シートに絶縁部をもって二つの導電エリアに区分けし、コントローラの正、負極性二本の導電連接線材を二つの導電エリアにそれぞれ接続し、それによって同一胸当て本体の導電内縁シートはそれぞれ正、負極性の導電エリアに形成される微細電流マッサージ胸当ての設計を提供することにある。
【０００６】
本考案の更に一つの目的はコントローラに接続される正、負極性二本の導電連接線材を外へ移して中継のスイッチ（ｓｗｉｔｃｈ）に接続し、使用者は随時コントローラの開閉を制御することができ、または更に進んで中継スイッチをネックレス（ｎｅｃｋｌａｃｅ）の様式に変えることができる微細電流マッサージ胸当ての設計を提供することにある。
【課題を解決するための手段】
【０００７】
微細電流マッサージ胸当ての設計で、それの主要は心挟み敷物、コントローラ、内縁シート及び外縁シートから構成され、心挟み敷物にはコントローラの埋め込み結合に用いられる嵌め溝が設けられ、並びに導電特性を備える内縁シートと不導電特性の外縁シートによって覆い被さり、コントローラは中に隠され、かつコントローラには正、負極性二本の導電連接線材が連結され、それらはそれぞれ別の胸当てまたは同一胸当て本体の導電内縁シートに接続され、それによって二つの胸当てまたは同一胸当て本体の導電内縁シートはそれぞれ正、負極性の導電エリアに形成することができ、胸当てとブラジャーの適切な組み合わせ使用を用い、通電時は女性の胸に対して中または低周波の刺激マッサージ効果を提供することができる。
【図面の簡単な説明】
【０００８】
【図１】本考案の分解立体図である。
【図２】本考案の組み合わせ断面図である。
【図３】本考案の使用状態の意表図である。
【図４】本考案の組み合わせ立体図である。
【図５】本考案に中継スイッチを設け加えた組み合わせ立体図である。
【図６】本考案がブラジャー内の下方に置かれて使用される意表図である。
【図７】本考案がブラジャー内の両側下方に置かれて使用される意表図である。
【図８】本考案と中継スイッチを連結した使用の意表図である。
【図９】本考案とネックレスを連結した使用の意表図である。
【図１０】本考案にチャック開口を予め設けた実施例の意表図である。
【図１１】本考案が大面積の胸当てに実施された意表図である。
【図１２】本考案の絶縁部を二つの導電エリアに区分けした実施例の分解立体図である。
【図１３】図１２の実施例の組み合わせ立体図である。
【図１４】図１２の実施例の使用意表図である。
【考案を実施するための形態】
【０００９】
図１、図２に示すように、本考案が行う「微細電流マッサージ胸当て」の設計の主要は、心挟み敷物１、コントローラ２、内縁シート３及び外縁シート４によってマッサージ胸当て１０が構成される。
【００１０】
心挟み敷物１は柔軟特性を備える柔らかい敷物であり、それはスポンジ（ｓｐｏｎｇｅ）またはシリコンゴム等軟質な物質を採用することができ、心挟み敷物１には次に述べるコントローラ２の埋め込み結合に用いられる嵌め溝１１が設けられてある。
【００１１】
コントローラ２の内部には中枢ＩＣが設けられ、ＩＣによってパルスウエーブ（ｐｕｌｓｅ ｗａｖｅ）が輸送され、インダクタンス（ｉｎｄｕｃｔａｎｃｅ）及びキャパシタンス（ｃａｐａｃｉｔａｎｃｅ）は充放電して高圧が発生し、並びにプログラム（ｐｒｏｇｒａｍ）を用いてパルス幅（約１ＨＺ〜１５０ＨＺ）を制御して強、弱程度の違う中または低周波のマッサージ感覚が発生するので、コントローラ２には制御キー（ｋｅｙ）21を備え、それは電流の増強（ｕｐ）または減弱（ｄｏｗｎ）の制御、または制御時間の設定、電源の開閉（ｏｎ/ｏｆｆ）またはマッサージモード（ｍｏｄｅ）の選択に用いられ、かつコントローラ２には正、負極性二本の導電連接線材２２、２３が接続されてある。
【００１２】
内縁シート３は導電特性を備える材質（例えば導電布または導電紗）を採用し、心挟み敷物１の内縁面に覆い被さり、女性の胸５との接触（図３に示す如く）に用いられる。
【００１３】
外縁シート４は導電性を備えない材質（例えば一般の絶縁材料）を採用し、心挟み敷物１の外縁面に相対して組み合わせ覆い被さり、並びにコントローラ２を覆い遮蔽する。
【００１４】
図１の実施例に示すように、上述一本の線材２２は胸当て１０本体の導電内縁シート３に接続され、別の線材２３は別の胸当て１０’の導電内縁シート３’に接続され、二つの胸当て１０、１０’の内縁シート３、３’はそれぞれ正、負極性の導電エリアに形成され、二つの胸当て１０、１０’を用いて左右各一つ連接組み合わせ形態を構成し（図４に示す如く）、前述別の胸当て１０’は更にコントローラを付けなくてもよいが、やはり心挟み敷物１’、導電内縁シート３’及び不導電外縁シート４’より構成される。
【００１５】
上述に構成された胸当て１０本体により、それは二本の導電接続線材２２、２３をそれぞれ胸当て１０本体と別の胸当て１０’本体の導電内縁シート３、３’に接続し、胸当て１０、１０’とブラジャー６の適当な組み合わせ使用を用い（図６または図７に示す如く）、通電時は導電内縁シート３、３’を女性の胸に貼り当てて中または低周波の刺激を釈放し、豊胸、リハビリテーション（ｒｅｈａｂｉｌｉｔａｔｉｏｎ）、気血循環等多重のマッサージ健康効果が得られる。
【００１６】
図５の実施例に示すように、上述コントローラ２に連結される正、負極性二本の導電接続線材２２、２３は外へ移して中継のスイッチ７に連結され、使用者は随時中継スイッチ７を通じて直接コントローラ２の開閉またはその他作動指令を操作制御することができる。
【００１７】
図６の使用状態により、胸当て１０、１０’をブラジャー６内に入れ、かつ女性の胸５の下方位置に置けば乳房を上へ押し上げることができ、図７の使用状態では胸当て１０、１０’をブラジャー６内の両側下方に入れるので、同時に乳房を内側に押し付けて上へへしあげる。
【００１８】
図７は胸当て１０、１０’を中継スイッチ7と組み合わせ、並びにブラジャー６内に取り付けた使用状態を示す。
【００１９】
図９に示すように、中継スイッチ7を襟に取り付け、またはネックレス８と組合して吊り下げ、装飾の効果が得られる。
【００２０】
図１０に示すように、マッサージ胸当て１０の不導電外縁シート４に予め自由に開けられるチャック（ｃｈｕｃｋ）開口４１(またはその他開口）を設け、コントローラ２の取り出しまたは置き入れることを簡単容易にする。
【００２１】
上記マッサージ胸当て１０は形状と大きさを問わず、その面積が大きい場合は胸当ての中央に乳首を通すための孔１０１を設け（図１１に示す如く）、乳首が中または低周波の刺激を受けないようにする。
【００２２】
図１２から図１４は別の実施例を開示し、それは胸当て１０ａの導電内縁シート３ａを変え、絶縁部３１ａを用いて二つの導電エリア３２ａ、３３ａに区分けし、更に正、負極性二本の導電接続線材２２、２３をそれぞれ二つの導電エリア３２ａ、３３ａに接続し、それによって同一本体のマッサージ胸当て１０ａは導電内縁シート３ａに於いてそれぞれ正、負極性の導電エリアに形成される。前述胸当て１０ａは個別に独立し、使用時はそれぞれ単独にブラジャー６内に取り付けられる（図１４に示す如く）。
【００２３】
本考案の精神に基づき、前記コントローラ２が実施された場合は無線操作モードを採用し、かつリモート（ｒｅｍｏｔｅ）・コントローラ２と組合して始動または各種操作モードを制御し、全体の操作使用をより便利にする。
【符号の説明】
【００２４】
１０        マッサージ胸当て
１０’      マッサージ胸当て
１０ａ      マッサージ胸当て
１          心挟み敷物
１’        心挟み敷物
２          コントローラ
３          （導電）内縁シート
３’        （導電）内縁シート
３ａ        （導電）内縁シート
４          （不導電）外縁シート
４’        （不導電）外縁シート
１１        嵌め溝
２１        制御キー
２２        導電接続線材
２３        導電接続線材
５          胸
６          ブラジャー
７          スイッチ
８          ネックレス
４１        開口
１０１      孔
３１ａ      絶縁部
３２ａ      導電エリア
３３ａ      導電エリア
【図１】
0003152582.tif 000003
【図２】
0003152582.tif 000004
【図３】
0003152582.tif 000005
【図４】
0003152582.tif 000006
【図５】
0003152582.tif 000007
【図６】
0003152582.tif 000008
【図７】
0003152582.tif 000009
【図８】
0003152582.tif 000010
【図９】
0003152582.tif 000011
【図１０】
0003152582.tif 000012
【図１１】
0003152582.tif 000013
【図１２】
0003152582.tif 000014
【図１３】
0003152582.tif 000015
【図１４】
0003152582.tif 000016